(57)【要約】【課題】デッドスペースの有効活用を図りつつ、蓄電池の交換作業・メンテナンス作業を容易に行うことができると共に居住者の生活に影響を極力与えない。【解決手段】建物ユニット１０には階段２４が設置されている。この階段２４の階段下部２６には踏板４２間のデッドスペースを使って蓄電池収納部４８が設けられている。この蓄電池収納部４８に蓄電池４６が取り出し可能に収納されている。【選択図】図１
2010071057.tif 000002
【特許請求の範囲】
【請求項１】
建物に設置される階段本体と、
この階段本体が備えるデッドスペースに設けられ、階段本体の外部からアクセス可能とされると共に重量物である蓄電池が取り出し可能に収納される蓄電池収納部と、
を有する階段。
【請求項２】
前記蓄電池収納部は、昇降方向に隣接する踏板と踏板との間に設けられており、
かつ前記蓄電池は蹴込み板側から取出し可能とされている、
ことを特徴とする請求項１記載の階段。
【請求項３】
前記蓄電池収納部は、昇降方向に隣接する踏板と踏板との間に設けられており、
かつ前記蓄電池は開閉可能に設けられた踏板を開放させることにより踏板側から取出し可能とされている、
ことを特徴とする請求項１記載の階段。
【請求項４】
前記蓄電池収納部は、階段下空間を使って設置されると共に棚の一部又は全部が踏板の下方に離間して配置されることで踏板と棚との間に蓄電池が収納可能とされた収納棚を用いて構成されており、
かつ前記棚は階段本体に対して接近及び離間する方向へ伸縮可能とされている、
ことを特徴とする請求項１記載の階段。
【請求項５】
請求項１〜請求項４のいずれか１項に記載された階段を備えた、
ことを特徴とする建物ユニット。
【請求項６】
請求項１〜請求項４のいずれか１項に記載された階段の設置及び前記蓄電池の前記蓄電池収納部への装着が、予め工場で成されている、
ことを特徴とする建物ユニット。
【請求項７】
請求項６記載の建物ユニットを用いて構築された建物に適用され、
前記蓄電池から発生する発生熱を利用して、屋内暖房装置により屋内暖房する、
ことを特徴とする屋内暖房システム。
【請求項８】
前記屋内暖房装置は、前記階段付近に設置され、かつ前記蓄電池から発生する発生熱によって温められた暖気を吸引して所定の箇所へ送風する換気手段である、
ことを特徴とする請求項７記載の屋内暖房システム。
【発明の詳細な説明】
【技術分野】
【０００１】
本発明は、階段、建物ユニット及び屋内暖房システムに関する。
【背景技術】
【０００２】
下記特許文献１には、蓄電池を建物ユニットの床部、天井部、壁部等に収納する技術が開示されている。例えば、床フレームに収納する技術では、床面に開口部を形成し、通常は蓋でこれを閉止し、蓄電池の交換時等、メンテナンス時にはこの蓋を外して蓄電池を交換等するようになっている。
【０００３】
上記構成によれば、従来未利用であった床部、天井部、壁部等の内部空間を有効に活用することができ、しかも室内側から蓄電池の交換及びメンテナンス作業をすることができるので、容易に作業を行うことができる、とある。
【特許文献１】特許第３９９３３３９号公報
【発明の開示】
【発明が解決しようとする課題】
【０００４】
しかしながら、上記特許文献１に開示された先行技術による場合、以下に説明する点において改良の余地がある。
【０００５】
すなわち、建物の耐久性に比べて蓄電池の寿命は短いため、電池交換は不可欠であるが、上記先行技術のように床部内、天井部内、壁部内に蓄電池を収納すると、重量のある蓄電池を交換することが大変困難となる。また、長時間に亘って住宅内で作業する必要があるため、居住者の生活に影響を与える。従って、上記先行技術は、これらの観点から、改良の余地がある。
【０００６】
本発明は上記事実を考慮し、デッドスペースの有効活用を図りつつ、蓄電池の交換作業・メンテナンス作業を容易に行うことができると共に居住者の生活に影響を極力与えない階段、建物ユニット及び屋内暖房システムを得ることが目的である。
【課題を解決するための手段】
【０００７】
請求項１の発明に係る階段は、建物に設置される階段本体と、この階段本体が備えるデッドスペースに設けられ、階段本体の外部からアクセス可能とされると共に重量物である蓄電池が取り出し可能に収納される蓄電池収納部と、を有している。
【０００８】
請求項２の発明は、請求項１記載の階段において、前記蓄電池収納部は、昇降方向に隣接する踏板と踏板との間に設けられており、かつ前記蓄電池は蹴込み板側から取出し可能とされている、ことを特徴としている。
【０００９】
請求項３の発明は、請求項１記載の階段において、前記蓄電池収納部は、昇降方向に隣接する踏板と踏板との間に設けられており、かつ前記蓄電池は開閉可能に設けられた踏板を開放させることにより踏板側から取出し可能とされている、ことを特徴としている。
【００１０】
請求項４の発明は、請求項１記載の階段において、前記蓄電池収納部は、階段下空間を使って設置されると共に棚の一部又は全部が踏板の下方に離間して配置されることで踏板と棚との間に蓄電池が収納可能とされた収納棚を用いて構成されており、かつ前記棚は階段本体に対して接近及び離間する方向へ伸縮可能とされている、ことを特徴としている。
【００１１】
請求項５の発明に係る建物ユニットは、請求項１〜請求項４のいずれか１項に記載された階段を備えた、ことを特徴としている。
【００１２】
請求項６の発明に係る建物ユニットは、請求項１〜請求項４のいずれか１項に記載された階段の設置及び前記蓄電池の前記蓄電池収納部への装着が、予め工場で成されている、ことを特徴としている。
【００１３】
請求項７の発明に係る屋内暖房システムは、請求項６記載の建物ユニットを用いて構築された建物に適用され、前記蓄電池から発生する発生熱を利用して、屋内暖房装置により屋内暖房する、ことを特徴としている。
【００１４】
請求項８の発明は、請求項７記載の屋内暖房システムにおいて、前記屋内暖房装置は、前記階段付近に設置され、かつ前記蓄電池から発生する発生熱によって温められた暖気を吸引して所定の箇所へ送風する換気手段である、ことを特徴としている。
【００１５】
請求項１記載の本発明によれば、階段本体が備えるデッドスペースに蓄電池収納部が設けられている。蓄電池収納部は階段本体の外部からアクセス可能とされているため、重量物である蓄電池を蓄電池収納部に収納させることができる。従って、デッドスペースの有効活用を図ることができる。また、蓄電池を交換する際等には、蓄電池を蓄電池収納部から容易に取り出すことができる。
【００１６】
請求項２記載の本発明によれば、蓄電池収納部は昇降方向に隣接する踏板と踏板との間に設けられており、蓄電池は蹴込み板側から取出し可能とされているので、蓄電池の交換等の作業を行う際には、蓄電池を踏板に沿ってスライドさせることにより、蓄電池の取出し及び装着を行うことができる。従って、蓄電池を蓄電池収納部から取出す際の作業負担及び蓄電池を蓄電池収納部へ装着させる際の作業負担が少ない。
【００１７】
請求項３記載の本発明によれば、蓄電池収納部は昇降方向に隣接する踏板と踏板との間に設けられており、蓄電池は開閉可能に設けられた踏板を開放させることにより踏板側から取出すことができる。従って、蓄電池のメンテナンスを行う際には、蓄電池を蓄電池収納部から取り出さなくても、蓋を開放させるだけで、蓄電池の配線の接続状況や不具合がないかどうかを上方から目視で確認することができる。
【００１８】
請求項４記載の本発明によれば、階段下空間を使って収納棚が設置されており、この収納棚の棚の一部又は全部が踏板の下方に離間して配置されることで踏板と棚との間に蓄電池収納部が形成される。さらに、この棚は階段本体に対して接近及び離間する方向へ伸縮可能とされているので、蓄電池が技術の進展により小型化された場合や、使用する蓄電池の容量が増大した場合等のときに、棚を階段本体に対して伸縮させることで、臨機応変に蓄電池の収納スペースを拡縮することができる。
【００１９】
請求項５記載の本発明によれば、建物ユニットは請求項１〜請求項４のいずれか１項に記載された階段を備えているので、建物ユニット自体に「蓄電池を階段本体に収納可能」という付加価値を付けることができる。
【００２０】
請求項６記載の本発明によれば、請求項１〜請求項４のいずれか１項に記載された階段の設置及び蓄電池の蓄電池収納部への装着が、予め工場で成されているので、建築地で蓄電池を蓄電池収納部へ装着させる作業をする必要がない。
【００２１】
請求項７記載の本発明によれば、請求項６記載の建物ユニットを用いて建物が構築されており、蓄電池から発生する発生熱を利用して、屋内暖房装置により屋内暖房することとしたので、排熱の有効利用を図ることができる。
【００２２】
請求項８記載の本発明によれば、屋内暖房装置は階段付近に換気手段が設置されており、この換気手段によって、蓄電池から発生する発生熱によって暖められた暖気が吸引されて所定の箇所へ送風されるので、換気手段を設置するだけで、屋内暖房を行うことができる。
【発明の効果】
【００２３】
以上説明したように、請求項１記載の本発明に係る階段は、デッドスペースの有効活用を図りつつ、蓄電池の交換作業・メンテナンス作業を容易に行うことができるという優れた効果を有する。
【００２４】
請求項２記載の本発明に係る階段は、蓄電池の取出し時及び装着時の作業性を向上させることができると共に作業負担を軽減することができるという優れた効果を有する。
【００２５】
請求項３記載の本発明に係る階段は、蓄電池のメンテナンス作業を簡単に行うことができるという優れた効果を有する。
【００２６】
請求項４記載の本発明に係る階段は、将来の蓄電池の改良によるサイズの変更や容量の増大による蓄電池の収納量の増加に対応することができるという優れた効果を有する。
【００２７】
請求項５記載の本発明に係る建物ユニットは、建物ユニット単体の付加価値を高めることができるという優れた効果を有する。
【００２８】
請求項６記載の本発明に係る建物ユニットは、建築地で蓄電池を蓄電池収納部へ装着させる場合に比べて、建築地での作業工数の削減及び作業労力の軽減を図ることができるという優れた効果を有する。
【００２９】
請求項７記載の本発明に係る屋内暖房システムは、排熱の有効利用を図ることで、屋内暖房の省エネ化を図ることができるという優れた効果を有する。
【００３０】
請求項８記載の本発明に係る屋内暖房システムは、換気手段の設置という簡易な構成を付加するだけで、屋内暖房に寄与することができるという優れた効果を有する。
【発明を実施するための最良の形態】
【００３１】
〔第１実施形態〕
【００３２】
以下、図１及び図２を用いて、本発明に係る階段、建物ユニット及び屋内暖房システムの第１実施形態について説明する。
【００３３】
図２には、第１実施形態に係る建物ユニット１０を備えたユニット建物１２の概略縦断面図が示されている。また、図１には、当該建物ユニット１０を抜き出して拡大した拡大縦断面図が示されている。
【００３４】
これらの図に示されるように、建物としてのユニット建物１２は、基礎１４上に複数個の箱型等の建物ユニット１０、１６を据え付けることにより構成された一階部分１８と、当該一階部分１８の上に複数の箱型等の建物ユニット１６を据え付けることにより構成された二階部分２０と、二階部分２０の上に据え付けられた屋根部分２２と、を含んで構成されている。
【００３５】
図１に示されるように、建物ユニット１０の内部には、折り返しタイプの階段２４が設置されている。なお、この階段２４が本発明における階段本体に相当する。また、この第１実施形態では、折り返しタイプの階段２４を例にして説明するが、階段の種類はこれに限らず、直階段、Ｌ型階段等であってもよい。
【００３６】
階段２４は、階段下部２６と、階段上部２８と、階段下部２６と階段上部２８との接続部位に設けられ踊り場３０の床を構成する踊り場床３６と、を含んで構成されている。また、踊り場床３６の下方には、階段下スペース３２が設けられている。階段下スペース３２は、壁３４と踊り場床３６と踊り場下側壁３４と床４０とで隔成されている。
【００３７】
階段下部２６は、昇降方向に所定の間隔で配置された複数枚の踏板４２と、これらの踏板４２の両端部を支持する左右一対の側桁（図示省略）と、踏板４２と床４０との隙間及び上下に隣合う踏板４２間に配置される複数枚の蹴込み板４４と、を含んで構成されている。なお、階段上部２８も、同様に構成されている。また、通常、蹴込み板４４は踏板４２の先端部側に配置されているが、この実施形態では、後述する蓄電池４６との関係ですぐ上の踏板４２の中間部付近に配設されている。
【００３８】
上述した階段２４の下数段（本実施形態では、階段下部２６の３段）には、蓄電池４６が収納されている。より具体的に説明すると、床４０と踏板４２と蹴込み板４４とで囲まれた空間、昇降方向に隣合う一対の踏板４２と蹴込み板４４とで囲まれた空間、昇降方向に隣合う一対の踏板４２と踊り場下側壁３８とで囲まれた空間が、蓄電池収納部４８とされている。この蓄電池収納部４８内に直方体形状とされた蓄電池４６が、蹴込み板４４と対向する開放部５０から収納されている。なお、開放部５０は、着脱可能又は開閉可能な図示しないカバーで閉止されている。また、蓄電池４６としては、例えば、ニッケル水素電池や鉛蓄電池といった蓄電池が適用可能であるが、他の蓄電池であってもよい。
【００３９】
また、図１に示される実施形態では、蓄電池４６の高さが蓄電池収納部４８の高さに略一致するように描かれているが、蓄電池収納部４８の高さは蓄電池４６の高さよりも若干高め（例えば、５ｃｍ）に設定して蓄電池４６の上方に隙間が形成されるようにしてもよい。蓄電池収納部４８の奥行についても同様のことがいえる。このように蓄電池４６の周りに隙間を残しておくと、将来の蓄電池４６の交換時に蓄電池をサイズアップするといったことにも対応することができるメリットがある。
【００４０】
また、踊り場３０近辺には、屋内暖房システム５２が配設されている。具体的には、踊り場下側壁３４の下部、踊り場床３６、壁３４には、第１換気扇５４、第２換気扇５６、第３換気扇５８がそれぞれ取り付けられている。これらの第１換気扇５４乃至第３換気扇５８は、広義には制御手段として把握される制御部６０に接続されており、各々の作動が制御されている。制御部６０は、最下段の蹴込み板４４の蓄電池４６と反対側に収納されている。
【００４１】
さらに、制御部６０の配設位置近傍で蓄電池４６の近傍となる位置には、蓄電池４６の排出ガスを検知する排出ガス検知センサ６２が配設されている。排出ガス検知センサ６２は制御部６０に接続されており、常時その検知結果を制御部６０へ出力している。
【００４２】
また、踊り場３０には第１気温センサ６４が配設されており、常時その検知結果を制御部６０へ出力している。さらに、排出ガス検知センサ６２の近傍には、第２気温センサ６６が配設されている。第２気温センサ６６も制御部６０へ接続されており、常時その検知結果を制御部６０へ出力している。
【００４３】
また、建物ユニット１０の任意の位置には、広義には表示手段として把握されるモニター６８が配設されている。モニター６８は蓄電池４６と共に制御部６０に接続されており、蓄電池４６の充放電状況、踊り場３０の気温、蓄電池４６周りの気温、排出ガス検知センサ６２の検知結果、第１換気扇５４乃至第３換気扇５８の稼動状況等が表示されている。
【００４４】
なお、上記構成において、第１換気扇５４及び第２換気扇５６が本発明における屋内暖房装置及び換気手段に相当する。
【００４５】
（作用・効果）
【００４６】
次に、本実施形態の作用並びに効果について説明する。
【００４７】
まず、建物ユニット１０の生産過程で、階段２４が組み込まれる。従って、建物ユニット１０が組み立てられた状態では、階段２４が予め設置された建物ユニット１０として構成されている。また、蓄電池４６も予め階段２４の蓄電池収納部４８内に装着される。その意味では、工場生産段階で、蓄電池４６を内蔵した階段２４（或いは、蓄電機能を有する階段２４、階段機能を有する蓄電池４６）を備えた建物ユニット１０が生産される。
【００４８】
そして、上記建物ユニット１０及び通常の建物ユニット１６は、輸送車両で工場から建築地へ搬送され、図示しないクレーンで基礎１４上に順次据付けられていく。こうしてユニット建物１２が構築される。
【００４９】
ユニット建物１２の構築後、本実施形態の屋内暖房システムは、例えば、以下のようにして利用される。
【００５０】
排出ガス検知センサ６２によって、蓄電池４６の周囲の排出ガスの有無が検知されて、制御部６０に出力されている。従って、蓄電池４６の充電時に蓄電池４６からガスが排出されたら、排出ガス検知センサ６２によって検知されて、制御部６０によって第１換気扇５４及び第３換気扇５８が作動される。なお、第２換気扇５６は非作動状態に維持される。これにより、排出ガスは、階段下スペース３２を通って建物外部へ排出される。
【００５１】
また、冬季においては、蓄電池４６の排熱を使った暖房運転がなされる。具体的には、第１気温センサ６４によって検知された踊り場３０の気温Ｔ１と、第２気温センサ６６によって検知された蓄電池４６付近の気温Ｔ２とを制御部６０で比較し、Ｔ１＜Ｔ２の場合には、第３換気扇５８を非作動状態にすると共に、第１換気扇５４と第２換気扇５６を作動させて暖気が踊り場３０に取り込まれるようにする。なお、第１換気扇乃至第３換気扇５８の出力を可変にしてもよいし、間欠作動させてもよい。
【００５２】
補足すると、本実施形態の蓄電池４６は、商用電力系統から受電することにより、或いは屋根部分２２の上面に設置された図示しない太陽電池等の独立電源から受電することにより、或いは燃料電池の余剰電力や深夜電力から受電すること等により、蓄電する。蓄電した電力は必要に応じてユニット建物１２で使用するエアコン、照明装置、プラグインハイブリッド車、自然冷媒ヒートポンプ給湯器等の負荷に給電される。つまり、この建物用蓄電システムは、蓄電池４６を使い、ユニット建物１２で使用する電気を蓄電及び給電する省エネ技術の一種である。例えば、このシステムを住宅に適用して住宅用蓄電システムとした場合、昼間はソーラーシステムで得られた電力等を蓄電池に蓄えると共に夜間は料金が安い深夜電力を蓄電池に蓄え、昼間の料金が高い時間帯に蓄電池で蓄電した電力を放電して利用するといった使い方ができる。
【００５３】
ここで、本実施形態では、階段下部２６が元々備えているデッドスペースに蓄電池収納部４８を設け、階段下部２６の外部から蓄電池４６を蓄電池収納部４８に収納させるように構成したので、デッドスペースの有効活用を図ることができる（スペース効率を高くすることができる）。
【００５４】
また、本実施形態では、蓄電池収納部４８に階段下部２６の外部からアクセス可能であるため、蓄電池４６を交換する際等には、図示しないカバーを取り外し又は開放させ、蓄電池４６を蓄電池収納部４８の開放部５０から容易に取り出すことができる。
【００５５】
さらに、本実施形態では、蓄電池４６を蹴込み板４４側から取り出すようにしたので、蓄電池４６の交換等の作業を行う際には、蓄電池４６を踏板４２に沿ってスライドさせることにより、蓄電池４６の取出し及び装着を行うことができる。従って、蓄電池４６を蓄電池収納部４８から取出す際の作業及び蓄電池４６を蓄電池収納部４８へ装着させる際の作業負担が少ない。その結果、本実施形態によれば、蓄電池４６の取出し時及び装着時の作業性を向上させることができると共に作業負担を軽減することができる。
【００５６】
加えて、蓄電池４６の交換作業及びメンテナンス作業は、階段下部２６の上方スペース（昇降スペース）を用いて行うことができるので、居住者の生活に影響を与えることもない。
【００５７】
また、階段下部２６の下数段に蓄電池４６を収納させているので、蓄電池４６の耐久性を向上させることができる。つまり、階段下部２６は建物ユニット１０の床下の地面近くに位置しているので、温度変化が他の場所より少なく、環境が安定している。従って、蓄電池４６を温度変化の激しいところに収納する場合に比べて、耐久性を向上させることができる。
【００５８】
さらに、本実施形態では、以下に列挙する効果も得られる。
【００５９】
上記階段２４を建物ユニット１０内に設置することにより、建物ユニット１０自体に「蓄電池を階段本体に収納可能」という付加価値を付けることができる。従って、建物ユニット１０単体の付加価値を上げることができる。
【００６０】
また、階段２４の設置及び蓄電池４６の蓄電池収納部４８への装着が、予め工場で成されているので、建築地で蓄電池４６を蓄電池収納部４８へ装着させる作業をする必要がない。よって、建築地で蓄電池４６を蓄電池収納部４８へ装着させる場合に比べて、作業工数の削減及び作業労力の軽減を図ることができる。
【００６１】
さらに、上記建物ユニット１０を含んでユニット建物１２を構築することにより、蓄電池４６から発生する発生熱を利用して、第１換気扇５４及び第２換気扇５６を使って、屋内（踊り場３０）暖房することができる。従って、排熱の有効利用を図ることができ、その分、他のエアコン等の屋内暖房装置を用いた屋内暖房の省エネ化を図ることができる。なお、第１換気扇５４及び第２換気扇５６に加えて、逆方向へ空気を導く第４換気扇、第５換気扇を併設して、冬季等において室内の気温Ｔ１が蓄電池４６周りの気温Ｔ２よりも低く蓄電池４６の性能が低下するような場合に、室内の暖房空気を階段下スペース３２に導入してから蓄電池４６周りに導入し、蓄電池４６周りの気温Ｔ２が室内の気温Ｔ１と略同じになるように制御してもよい。
【００６２】
〔第２実施形態〕
【００６３】
次に、図３及び図４を用いて、本発明に係る階段、建物ユニット及び屋内暖房システムの第２実施形態について説明する。なお、前述した第1実施形態と同一構成部分については、同一番号を付してその説明を省略する。
【００６４】
図３及び図４に示されるように、この第２実施形態では、ユニット建物７０の一部として構成された駐車スペース７２に隣接して階段７４が設置されている。この階段７４は駐車面７６から屋内へ上がるための３段程度の階段とされている。この階段７４に前述した第１実施形態と同様構成の蓄電池収納部４８が形成されて、蓄電池４６が収納されている。
【００６５】
（作用・効果）
【００６６】
上記構成によっても、階段７４のデッドスペースを活用する構成であり、蓄電池４６も交換やメンテナンスに際しては踏板４２に沿ってスライドさせることにより取り出すことができる。従って、前述した第１実施形態と同様の基本的な作用・効果が得られる。
【００６７】
〔その他の実施形態〕
【００６８】
次に、図５〜図８を用いて、本発明に係る階段、建物ユニット及び屋内暖房システムのその他の実施形態について説明する。なお、前述した第1実施形態等と同一構成部分については、同一番号を付してその説明を省略する。
【００６９】
図５に示される実施形態では、階段８０の蹴込み板８２が上端部回りに開閉可能とされており、二点鎖線図示状態から実線図示状態にすることにより、蓄電池４６を出し入れすることができる。なお、この階段８０では、蓄電池４６を支持するために側面視でＬ字状の支持フレーム８４が最下段以外の踏板４２下面の奥側に配設されている。最下段については、支持フレーム８４ではなく、矩形平板状等の奥板８６とされている。
【００７０】
また、図６に示される実施形態では、階段８の踏板４２が奥側の端部回りに開閉可能とされており、蓄電池４６は踏板４２側から上方へ取り出すようになっている。なお、支持フレーム８８は側面視で略Ｚ字状とされている。
【００７１】
図６に示される構成の場合、蓄電池４６のメンテナンスを行う際には、蓄電池４６を蓄電池収納部４８から取り出さなくても、蓋である踏板４２を開放させるだけで、蓄電池４６の配線の接続状況や不具合がないかどうかを上方から目視で確認することができる。このため、蓄電池４６のメンテナンス作業を簡単に行うことができるというメリットがある。
【００７２】
図７に示される実施形態では、階段９０がＬ型とされている。また、この階段９０では、蓄電池４６を側面側から取り出すようになっている。なお、踏板４２の下面には、蓄電池４６の側面を隠すカバー９２が着脱可能又は開閉可能に取り付けられている。
【００７３】
図８に示される実施形態では、階段下空間９４に収納棚９６が載置されている。収納棚９６は、複数段に平行に配置された棚９８と、これらの棚９８に対して垂直に配置されると共に棚９８を片持ち支持する背部１００と、によって構成されている。棚９８は下段側ほど長く形成されており、階段１０２の階段形状に合わせてその延出長さが決められている。なお、収納棚９６の各要素はパイプ材により構成されている。但し、板材で構成してもよいし、他の形態の部材であってもよい。
【００７４】
上記構成によれば、棚９８とその上の踏板４２との間に蓄電池収納部４８がそれぞれ形成されており、この蓄電池収納部４８に蓄電池が収納される。蓄電池３６の交換時、メンテナンス時等、蓄電池３６を取り出す際には、階段１０２の背面側（階段下空間９４側）から蓄電池４６を棚９８に沿ってスライドさせて取り出すことができる。
【００７５】
図９に示される実施形態では、収納棚９６’の複数の棚９８’がそれぞれ伸縮可能とされている点に特徴がある。すなわち、図９（Ｂ）に示されるように、棚９８’は、階段１０２に対して接近離間する方向へ伸縮可能とされている。具体的には、棚９８’がパイプ材で構成されており、径が異なる複数のパイプ材を軸方向に伸縮させることにより、棚９８’の長さを変えられるようになっている。なお、最下段の棚９８’及び背部１００の下面側には、図示しないキャスタ或いはベアリング等の転動手段が取り付けられている。
【００７６】
上記構成によれば、例えば、新築時には、図９（Ａ）に示されるように、所定サイズの蓄電池４６Ａを各棚９８’の上に載せて、階段１０２の踏板４２と棚９８’との間に形成された各蓄電池収納部４８にそれぞれ収納させておく。
数年後、蓄電池４６Ａが改良されて小型化されて蓄電池４６Ｂになった場合でかつ総量が大容量の蓄電池を収納しなければならなくなった場合には、図９（Ｂ）に示されるように、棚９８’を伸長させて収納スペースを増加させることができる。つまり、図９（Ａ）に示される状態のときには、階段下空間９４は別の用途に使用可能であったが、ニーズが変化して階段下空間９４をも蓄電池４６Ｂの収納スペースとして使用しなければならなくなった場合には、階段下空間９４をも蓄電池４６Ｂの収納スペースとして利用することができる。その意味では、このユニット建物は、収納スペースが拡縮自在な収納庫を備えているといえる。
【００７７】
上記より、本実施形態によれば、将来の蓄電池の改良によるサイズの変更や容量の増大による蓄電池の収納量の増加に対応することができる。
【図面の簡単な説明】
【００７８】
【図１】第１実施形態に係る階段、建物ユニット及び屋内暖房システムの要部を示す拡大縦断面図である。
【図２】図１に示される建物ユニットを備えたユニット建物の概略縦断面図である。
【図３】第２実施形態に係る階段、建物ユニット及び屋内暖房システムの要部を示す平面図である。
【図４】図３の４−４線に沿った拡大断面図である。
【図５】その他の実施形態に係り、前出しタイプとして構成した階段の一例を側方から見て示す縦断面図である。
【図６】その他の実施形態に係り、上出しタイプとして構成した階段の一例を側方から見て示す縦断面図である。
【図７】その他の実施形態に係り、横出しタイプとして構成した階段の一例を示す斜視図である。
【図８】その他の実施形態に係り、棚と組み合わせた階段の一例を側方から見て示す縦断面図である。
【図９】図８に示される実施形態の変形例に係り、（Ａ）は収納スペースを縮小した場合の使用例を示す側面図であり、（Ｂ）は収納スペースを拡大した場合の使用例を示す側面図である。
【符号の説明】
【００７９】
１０      建物ユニット
１２      ユニット建物（建物）
２４      階段（階段本体）
４２      踏板
４４      蹴込み板
４６      蓄電池
４６Ａ    蓄電池
４６Ｂ    蓄電池
４８      蓄電池収納部
５２      屋内暖房システム
５４      第１換気扇（屋内暖房装置、換気手段）
５６      第２換気扇（屋内暖房装置、換気手段）
６０      制御部
６４      第１気温センサ
６６      第２気温センサ
６８      モニター
７０      ユニット建物（建物）
７４      階段（階段本体）
８０      階段（階段本体）
８２      蹴込み板
８７      階段（階段本体）
９０      階段（階段本体）
９４      階段下空間
９６      収納棚
９６’    収納棚
９８      棚
９８’    棚
１０２    階段（階段本体）
【図１】
2010071057.tif 000003
【図２】
2010071057.tif 000004
【図３】
2010071057.tif 000005
【図４】
2010071057.tif 000006
【図５】
2010071057.tif 000007
【図６】
2010071057.tif 000008
【図７】
2010071057.tif 000009
【図８】
2010071057.tif 000010
【図９】
2010071057.tif 000011